(57)【要約】【課題】本発明は太陽熱技術に基づく自動車内空気の循環装置を開示した。【解決手段】サンルーフに固定的に取り付けられた支持壁を含み、前記支持壁にはフィルターが設置され、前記支持壁には本体が固定的に設置され、前記本体と前記サンルーフの中には装置空間が設置され、前記装置空間と前記本体との間には空気流通装置が設置され、前記空気流通空間は前記装置空間の左側壁に設置された空気入り空間を含み、本願発明は、冬に、自動車を始動しないことを前提にして本願発明内の水を加熱し、自動車の部位を予め暖め、冬の低温でエンジンが壊れる可能性を下げ、それと同時に、空気流通管内の空気を加熱し、運転手の快適感を向上させ、本願発明は車両に日光の直射を避けて温度を下げ、それと同時に、ソーラーパネルにより陽ざしを利用して電力を生み出す。【選択図】図１
2020196435.tif 000002
【特許請求の範囲】
【請求項１】
太陽熱技術に基づく自動車内空気の循環装置であり、サンルーフに固定的に取り付けられた支持壁を含み、前記支持壁にはフィルターが設置され、前記支持壁には本体が固定的に設置され、前記本体と前記サンルーフの中には装置空間が設置され、前記装置空間と前記本体との間には空気流通装置が設置され、前記空気流通空間は前記装置空間の左側壁に設置された空気入り空間を含み、前記空気入り空間の右側壁には動力空間が設置され、前記空気入り空間の底側壁には空気流通管が設置され、前記空気流通管の底側面には前記空気流通管と連通するエンジン空気入り管が設置され、前記空気流通管の片側には空気処理空間が前記空気流通管と連通するように設置され、前記空気処理空間の底壁に加湿器を置くことができ、前記空気処理空間の上下側壁には回転軸が回転可能に連結され、前記回転軸には加湿空間スイッチが固定的に設置され、前記加湿空間スイッチにより前記空気処理空間は密封されることができ、前記空気処理空間の底側壁には前記空気処理空間と連通する車内空気入り管が設置され、前記車内空気入り管が車内空間と連通することにより、車内に処理された空気を提供し、前記本体の底側面には排気体が固定的に設置され、前記排気体の中には排気空間が設置され、前記排気空間の底側壁には第二フィルターが固定的に設置され、前記排気空間の底側壁には排気軸が回転可能に連結され、前記排気軸が上方へ伸びて前記第二フィルターを貫通し、さらに前記第二フィルターと回転可能に連結され、前記排気軸の上側には排気ファンが固定的に設置され、前記排気軸の中側には第五傘歯車が固定的に設置され、前記排気体の底側面には前記排気空間と連通するエンジン室排気管及び車内排気管が設置され、前記エンジン室排気管と前記車内排気管を介して車内の空気を排出でき、こうして車内の空気を循環させて車内の空気を新鮮に保ち、
前記排気体の後側面には伝動箱が固定的に設置され、前記伝動箱の中には伝動装置が設置され、前記動力空間の中には本願発明に動力を提供する動力装置が設置され、前記本体の右側面には、自動車のエンジンが止まった時に本願発明に電力を供給する太陽熱装置が設置され、前記本体の中には水槽が設置され、前記水槽の中にはエンジンの温度を調節できるエンジン温度調節装置が設置されていることを特徴とする太陽熱技術に基づく自動車内空気の循環装置。
【請求項２】
前記動力装置は、回転モーターと、空気入り軸と、第一傘歯車と、第二傘歯車と、空気入りファンにより構成され、前記動力空間の右側壁に固定的に取り付けられた前記回転モーターを含み、前記回転モーターには前記空気入り軸が連結され、前記空気入り軸が左方に伸びて前記動力空間の左側壁を貫通して前記空気入り空間の中に入り、さらに前記空気入り空間の右側壁と回転可能に連結され、前記空気入り空間において前記空気入り軸には前記空気入りファンが固定的に設置され、前記空気入り軸には前記第一傘歯車が固定的に設置され、前記第一伝動軸が前に伸びて前記伝動空間の前側壁を貫通して前記動力空間の中に入り、さらに前記動力空間の後側壁と回転可能に連結され、前記動力空間において前記第一伝動軸には前記第一傘歯車と噛み合う前記第二傘歯車が固定的に設置されていることを特徴とする請求項１に記載の太陽熱技術に基づく自動車内空気の循環装置。
【請求項３】
前記エンジン温度調節装置はウォーターポンプと、ウォーターポンプ軸と、第三傘歯車と、水管と、水入り管と、エンジン室と、エンジン室空間と、水出管と、加熱ブロックにより構成され、前記水槽の底側壁に固定的に取り付けられた前記ウォーターポンプを含み、前記ウォーターポンプには前記ウォーターポンプ軸が連結され、前記ウォーターポンプ軸が下方に伸びて前記水槽の底側壁を貫通して前記動力空間の中に入り、さらに前記水槽の底側壁及び前記動力空間の頂側壁と回転可能に連結され、前記動力空間において前記ウォーターポンプ軸には前記第一傘歯車と噛み合う前記第三傘歯車が固定的に設置され、前記ウォーターポンプの右側面には前記水管が連結され、前記水槽の底側壁には連通する前記水入り管が固定的に設置され、前記水入り管が車内に設置された前記エンジン室に入り、前記エンジン室の中には前記エンジン室空間が設置され、前記エンジン室空間が前記エンジン空気入り管と連通しており、前記エンジン室空間の底側壁には連通する前記エンジン室排気管が設置され、前記水入り管が曲がって前記エンジン室空間の中に設置され、こうして前記水入り管が前記エンジン室空間に接触する面積を広められ、前記水入り管の温度制御効果を強化でき、前記水槽の底側壁には前記水出管が固定的に設置され、前記水入り管が前記エンジン室空間の中で前記水出管と連通しており、前記水管が前記水槽の中で前記水出管と連通しており、前記水入り管には前記加熱ブロックが固定的に設置されていることを特徴とする請求項１に記載の太陽熱技術に基づく自動車内空気の循環装置。
【請求項４】
前記太陽熱装置はソーラーパネルと、削りブロックと、移動空間と、移動モーターと、移動軸と、歯車と、ラックと、移動ソーラーパネルと、ばねにより構成され、前記本体の右側面に固定的に取り付けられた前記ソーラーパネルを含み、前記ソーラーパネルの底面には前記削りブロックが五つ固定的に設置され、前記本体の中には前記移動空間が設置され、前記移動空間の後側壁には前記移動モーターが固定的に設置され、前記移動モーターには前記移動軸が連結され、前記移動軸には前記歯車が固定的に設置され、前記本体の頂側面には前記歯車と噛み合う前記ラックがスライド可能に連結され、前記ラックの頂側面には前記移動ソーラーパネルが固定的に連結され、前記移動ソーラーパネルと前記本体との間には前記移動ソーラーパネルの落下を防止できる前記ばねが連結されていることを特徴とする請求項１に記載の太陽熱技術に基づく自動車内空気の循環装置。
【請求項５】
冬に、自動車を始動する前に、本願発明を始動し、それと同時に前記加熱ブロックに通電して前記水入り管の中にある水及び前記空気流通管内の空気を加熱し、そして前記水入り管が内部の熱水により前記エンジン室空間を加熱して自動車を暖め、さらに前記空気流通管内の熱空気が車内に入って車内の温度を上げ、ここで運転手は車内に入ると、暖かく感じられることを特徴とする請求項１に記載の太陽熱技術に基づく自動車内空気の循環装置。
【請求項６】
前記加湿器の中に香料を添加し、湿気を増やすと同時に前記空気処理空間内の空気を処理でき、運転手が呼吸する時に、気楽に感じられることを特徴とする請求項１に記載の太陽熱技術に基づく自動車内空気の循環装置。
【請求項７】
前記排気空間から排出された気体が前記太陽熱装置の中に流れ込み、車内の空気を排出すると同時に前記移動ソーラーパネルにあるゴミなどを除去できることを特徴とする請求項１に記載の太陽熱技術に基づく自動車内空気の循環装置。
【請求項８】
前記削りブロックはゴム製のものであり、前記移動ソーラーパネルが移動すると同時にゴミを清掃でき、また前記移動ソーラーパネルを損害しないことを特徴とする請求項４に記載の太陽熱技術に基づく自動車内空気の循環装置。
【請求項９】
前記水槽に蓄えられた水は、火災が発生する時に、火の元をすぐに消せることを特徴とする請求項３に記載の太陽熱技術に基づく自動車内空気の循環装置。
【請求項１０】
前記伝動装置は伝動空間と、第二タイミング車と、第一伝動軸と、第一タイミング車と、ベルトと、第四傘歯車により構成され、前記伝動箱の中には前記伝動空間が設置され、前記伝動空間の前後側壁には前記第二伝動軸が回転可能に連結され、前記第二伝動軸には前記第二タイミング車が固定的に設置され、前記伝動空間の前後側壁には前記第一伝動軸が回転可能に連結され、前記第一伝動軸には前記第一タイミング車が固定的に設置され、前記第一タイミング車と前記第二タイミング車とが前記ベルトにより連結され、前記第二伝動軸が前に伸びて前記伝動空間の前側壁を貫通して前記排気空間の中に入り、さらに前記排気空間の後側壁と回転可能に連結され、前記排気空間において前記第二伝動軸には前記第五傘歯車と噛み合う前記第四傘歯車が固定的に設置されていることを特徴とする請求項１に記載の太陽熱技術に基づく自動車内空気の循環装置。
【発明の詳細な説明】
【技術分野】
【０００１】
本願発明は車内空気循環分野に関わり、具体的には太陽熱技術に基づく自動車内空気の循環装置である。
【背景技術】
【０００２】
車の数量が増えるにつれて、大部分の車は駐車位置が足りないため、日に晒されるところに止まらなければならなく、駐車する時、車のエンジンが止まって車内のエアコンをつけられなく、また太陽の直射で、車内の空気が流通しなくて温度が快速に上がり、人に不快感を与える。
このような状況では、人は車のエンジンを始動することによりエアコンの作動に電力を提供し、車内空気が流れて車内の温度を下げ、しかし、この時、車内の温度が即時に下がられなく、人はエアコンをつけるとすぐに車に乗っては不快感が感じられ、従い、自動車のエンジンが止まった後に、車内の空気を循環させられる装置が必要となる。
【先行技術文献】
【特許文献】
【０００３】
【特許文献１】中国特許出願公開第１０４８４２７５０号明細書
【発明の概要】
【発明が解決しようとする課題】
【０００４】
本願発明は太陽熱技術に基づく自動車内空気の循環装置を提供し、上記の背景技術に記載された問題を解決する。
【課題を解決するための手段】
【０００５】
上記の目的を実現するため、本願発明は以下の技術策を提供する。太陽熱技術に基づく自動車内空気の循環装置であり、サンルーフに固定的に取り付けられた支持壁を含み、前記支持壁にはフィルターが設置され、前記支持壁には本体が固定的に設置され、前記本体と前記サンルーフの中には装置空間が設置され、前記装置空間と前記本体との間には空気流通装置が設置され、前記空気流通空間は前記装置空間の左側壁に設置された空気入り空間を含み、前記空気入り空間の右側壁には動力空間が設置され、前記空気入り空間の底側壁には空気流通管が設置され、前記空気流通管の底側面には前記空気流通管と連通するエンジン空気入り管が設置され、前記空気流通管の片側には空気処理空間が前記空気流通管と連通するように設置され、前記空気処理空間の底壁に加湿器を置くことができ、前記空気処理空間の上下側壁には回転軸が回転可能に連結され、前記回転軸には加湿空間スイッチが固定的に設置され、前記加湿空間スイッチにより前記空気処理空間は密封されることができ、前記空気処理空間の底側壁には前記空気処理空間と連通する車内空気入り管が設置され、前記車内空気入り管が車内空間と連通することにより、車内に処理された空気を提供し、前記本体の底側面には排気体が固定的に設置され、前記排気体の中には排気空間が設置され、前記排気空間の底側壁には第二フィルターが固定的に設置され、前記排気空間の底側壁には排気軸が回転可能に連結され、前記排気軸が上方へ伸びて前記第二フィルターを貫通し、さらに前記第二フィルターと回転可能に連結され、前記排気軸の上側には排気ファンが固定的に設置され、前記排気軸の中側には第五傘歯車が固定的に設置され、前記排気体の底側面には前記排気空間と連通するエンジン室排気管及び車内排気管が設置され、前記エンジン室排気管と前記車内排気管を介して車内の空気を排出でき、こうして車内の空気を循環させて車内の空気を新鮮に保ち、
前記排気体の後側面には伝動箱が固定的に設置され、前記伝動箱の中には伝動装置が設置され、前記動力空間の中には本願発明に動力を提供する動力装置が設置され、前記本体の右側面には、自動車のエンジンが止まった時に本願発明に電力を供給する太陽熱装置が設置され、前記本体の中には水槽が設置され、前記水槽の中にはエンジンの温度を調節できるエンジン温度調節装置が設置されている。
【０００６】
前記動力装置は、回転モーターと、空気入り軸と、第一傘歯車と、第二傘歯車と、空気入りファンにより構成され、前記動力空間の右側壁に固定的に取り付けられた前記回転モーターを含み、前記回転モーターには前記空気入り軸が連結され、前記空気入り軸が左方に伸びて前記動力空間の左側壁を貫通して前記空気入り空間の中に入り、さらに前記空気入り空間の右側壁と回転可能に連結され、前記空気入り空間において前記空気入り軸には前記空気入りファンが固定的に設置され、前記空気入り軸には前記第一傘歯車が固定的に設置され、前記第一伝動軸が前に伸びて前記伝動空間の前側壁を貫通して前記動力空間の中に入り、さらに前記動力空間の後側壁と回転可能に連結され、前記動力空間において前記第一伝動軸には前記第一傘歯車と噛み合う前記第二傘歯車が固定的に設置されている。
【０００７】
前記エンジン温度調節装置はウォーターポンプと、ウォーターポンプ軸と、第三傘歯車と、水管と、水入り管と、エンジン室と、エンジン室空間と、水出管と、加熱ブロックにより構成され、前記水槽の底側壁に固定的に取り付けられた前記ウォーターポンプを含み、前記ウォーターポンプには前記ウォーターポンプ軸が連結され、前記ウォーターポンプ軸が下方に伸びて前記水槽の底側壁を貫通して前記動力空間の中に入り、さらに前記水槽の底側壁及び前記動力空間の頂側壁と回転可能に連結され、前記動力空間において前記ウォーターポンプ軸には前記第一傘歯車と噛み合う前記第三傘歯車が固定的に設置され、前記ウォーターポンプの右側面には前記水管が連結され、前記水槽の底側壁には連通する前記水入り管が固定的に設置され、前記水入り管が車内に設置された前記エンジン室に入り、前記エンジン室の中には前記エンジン室空間が設置され、前記エンジン室空間が前記エンジン空気入り管と連通しており、前記エンジン室空間の底側壁には連通する前記エンジン室排気管が設置され、前記水入り管が曲がって前記エンジン室空間の中に設置され、こうして前記水入り管が前記エンジン室空間に接触する面積を広められ、前記水入り管の温度制御効果を強化でき、前記水槽の底側壁には前記水出管が固定的に設置され、前記水入り管が前記エンジン室空間の中で前記水出管と連通しており、前記水管が前記水槽の中で前記水出管と連通しており、前記水入り管には前記加熱ブロックが固定的に設置されている。
【０００８】
前記太陽熱装置はソーラーパネルと、削りブロックと、移動空間と、移動モーターと、移動軸と、歯車と、ラックと、移動ソーラーパネルと、ばねにより構成され、前記本体の右側面に固定的に取り付けられた前記ソーラーパネルを含み、前記ソーラーパネルの底面には前記削りブロックが五つ固定的に設置され、前記本体の中には前記移動空間が設置され、前記移動空間の後側壁には前記移動モーターが固定的に設置され、前記移動モーターには前記移動軸が連結され、前記移動軸には前記歯車が固定的に設置され、前記本体の頂側面には前記歯車と噛み合う前記ラックがスライド可能に連結され、前記ラックの頂側面には前記移動ソーラーパネルが固定的に連結され、前記移動ソーラーパネルと前記本体との間には前記移動ソーラーパネルの落下を防止できる前記ばねが連結されている。
【０００９】
冬に、自動車を始動する前に、本願発明を始動し、それと同時に前記加熱ブロックに通電して前記水入り管の中にある水及び前記空気流通管内の空気を加熱し、そして前記水入り管が内部の熱水により前記エンジン室空間を加熱して自動車を暖め、さらに前記空気流通管内の熱空気が車内に入って車内の温度を上げ、ここで運転手は車内に入ると、暖かく感じられる。
【００１０】
前記加湿器の中に香料を添加し、湿気を増やすと同時に前記空気処理空間内の空気を処理でき、運転手が呼吸する時に、気楽に感じられる。
【００１１】
前記排気空間から排出された気体が前記太陽熱装置の中に流れ込み、車内の空気を排出すると同時に前記移動ソーラーパネルにあるゴミなどを除去できる。
【００１２】
前記削りブロックはゴム製のものであり、前記移動ソーラーパネルが移動すると同時にゴミを清掃でき、また前記移動ソーラーパネルを損害しない。
【００１３】
前記水槽に蓄えられた水は、火災が発生する時に、火の元をすぐに消せる。
【００１４】
前記伝動装置は伝動空間と、第二タイミング車と、第一伝動軸と、第一タイミング車と、ベルトと、第四傘歯車により構成され、前記伝動箱の中には前記伝動空間が設置され、前記伝動空間の前後側壁には前記第二伝動軸が回転可能に連結され、前記第二伝動軸には前記第二タイミング車が固定的に設置され、前記伝動空間の前後側壁には前記第一伝動軸が回転可能に連結され、前記第一伝動軸には前記第一タイミング車が固定的に設置され、前記第一タイミング車と前記第二タイミング車とが前記ベルトにより連結され、前記第二伝動軸が前に伸びて前記伝動空間の前側壁を貫通して前記排気空間の中に入り、さらに前記排気空間の後側壁と回転可能に連結され、前記排気空間において前記第二伝動軸には前記第五傘歯車と噛み合う前記第四傘歯車が固定的に設置されている。
【発明の効果】
【００１５】
本願発明の効果は：本願発明は車両が止まった時、自動車本来の電力に頼らずに独立に作動でき、夏の時、日に晒された自動車内の空気を流通させ、こうして車内の空気を循環させ、車内の温度を下げ、夏の時に車内の人が自動車を始動できないこと及び温度が高くて危険がある状況を回避し、それと同時に、水が本願発明装置内の流動でエンジン室空間内の熱量が引き続き吸収され、エンジン室空間内の温度を下げる。
本願発明は、冬に、自動車を始動しないことを前提にして本願発明内の水を加熱し、自動車の部位を予め暖め、冬の低温でエンジンが壊れる可能性を下げ、それと同時に、空気流通管内の空気を加熱し、運転手の快適感を向上させる。
本願発明は車両に日光の直射を避けて温度を下げ、それと同時に、ソーラーパネルにより陽ざしを利用して電力を生み出す。
【図面の簡単な説明】
【００１６】
下記に図１〜５をあわせて本発明について詳しく説明し、便利に説明するために、下記の方向を以下のように規定する：図１は本発明装置の正面図であり、本願に記載の各方向が、図１と同じ向きに装置を見た際の方向である。
【００１７】
【図１】図１は本願発明の全体断面の正面構成概略図
【図２】図２は本願発明図１の後側の正面図
【図３】図３は本願発明図１の部分の上面図
【図４】図４は本願発明図１の分流ブロックの上面図
【図５】図５は本願発明の動力装置の拡大概略図
【発明を実施するための形態】
【００１８】
図面１〜５を参照し、本願発明は太陽熱技術に基づく自動車内空気の循環装置であり、サンルーフ２０に固定的に取り付けられた支持壁２２を含み、前記支持壁２２にはフィルター２４が設置され、前記支持壁２２には本体２６が固定的に設置され、前記本体２６と前記サンルーフ２０の中には装置空間５５が設置され、前記装置空間５５と前記本体２６との間には空気流通装置９９が設置され、前記空気流通空間９９は前記装置空間５５の左側壁に設置された空気入り空間２３を含み、前記空気入り空間２３の右側壁には動力空間７１が設置され、前記空気入り空間２３の底側壁には空気流通管５６が設置され、前記空気流通管５６の底側面には前記空気流通管５６と連通するエンジン空気入り管２１が設置され、前記空気流通管５６の片側には空気処理空間３２が前記空気流通管５６と連通するように設置され、前記空気処理空間３２の底壁に加湿器３３を置くことができ、前記空気処理空間３２の上下側壁には回転軸６６が回転可能に連結され、前記回転軸６６には加湿空間スイッチ６５が固定的に設置され、前記加湿空間スイッチ６５により前記空気処理空間３２は密封されることができ、前記空気処理空間３２の底側壁には前記空気処理空間３２と連通する車内空気入り管５４が設置され、前記車内空気入り管５４が車内空間と連通することにより、車内に処理された空気を提供し、前記本体２６の底側面には排気体５３が固定的に設置され、前記排気体５３の中には排気空間４６が設置され、前記排気空間４６の底側壁には第二フィルター４８が固定的に設置され、前記排気空間４６の底側壁には排気軸５０が回転可能に連結され、前記排気軸５０が上方へ伸びて前記第二フィルター４８を貫通し、さらに前記第二フィルター４８と回転可能に連結され、前記排気軸５０の上側には排気ファン５２が固定的に設置され、前記排気軸５０の中側には第五傘歯車８０が固定的に設置され、前記排気体５３の底側面には前記排気空間４６と連通するエンジン室排気管５１及び車内排気管４９が設置され、前記エンジン室排気管５１と前記車内排気管４９を介して車内の空気を排出でき、こうして車内の空気を循環させて車内の空気を新鮮に保ち、前記排気体５３の後側面には伝動箱７６が固定的に設置され、前記伝動箱７６の中には伝動装置１２０が設置され、前記伝動箱７６の中には伝動空間７８が設置され、前記伝動空間７８の前後側壁には第二伝動軸５９が回転可能に連結され、前記第二伝動軸５９には第二タイミング車５８が固定的に設置され、前記伝動空間７８の前後側壁には第一伝動軸６２が回転可能に連結され、前記第一伝動軸６２には第一タイミング車６０が固定的に設置され、前記第一タイミング車６０と前記第二タイミング車５８とがベルト６１により連結され、前記第二伝動軸５９が前に伸びて前記伝動空間７８の前側壁を貫通して前記排気空間４６の中に入り、さらに前記排気空間４６の後側壁と回転可能に連結され、前記排気空間４６において前記第二伝動軸５９には前記第五傘歯車８０と噛み合う第四傘歯車４７が固定的に設置され、前記動力空間７１の中には本願発明に動力を提供する動力装置１００が設置され、前記本体２６の右側面には、自動車のエンジンが止まった時に本願発明に電力を供給する太陽熱装置１０１が設置され、前記本体２６の中には水槽２９が設置され、前記水槽２９の中にはエンジンの温度を調節できるエンジン温度調節装置１０２が設置されている。
【００１９】
前記動力装置１００は前記動力空間７１の右側壁に固定的に取り付けられた回転モーター７２を含み、前記回転モーター７２には空気入り軸７５が連結され、前記空気入り軸７５が左方に伸びて前記動力空間７１の左側壁を貫通して前記空気入り空間２３の中に入り、さらに前記空気入り空間２３の右側壁と回転可能に連結され、前記空気入り空間２３において前記空気入り軸７５には空気入りファン６７が固定的に設置され、前記空気入り軸７５には第一傘歯車７３が固定的に設置され、前記第一伝動軸６２が前に伸びて前記伝動空間７８の前側壁を貫通して前記動力空間７１の中に入り、さらに前記動力空間７１の後側壁と回転可能に連結され、前記動力空間７１において前記第一伝動軸６２には前記第一傘歯車７３と噛み合う第二傘歯車７４が固定的に設置され、
前記回転モーター７２を始動し、前記空気入り軸７５と、前記第一傘歯車７３と、前記空気入りファン６７と、前記第二傘歯車７４とが駆動されて回転することにより、自動車のエンジンが止まった後、本願発明の各構成に動力を供給する。
【００２０】
前記エンジン温度調節装置１０２は前記水槽２９の底側壁に固定的に取り付けられたウォーターポンプ２５を含み、前記ウォーターポンプ２５にはウォーターポンプ軸６９が連結され、前記ウォーターポンプ軸６９が下方に伸びて前記水槽２９の底側壁を貫通して前記動力空間７１の中に入り、さらに前記水槽２９の底側壁及び前記動力空間７１の頂側壁と回転可能に連結され、前記動力空間７１において前記ウォーターポンプ軸６９には前記第一傘歯車７３と噛み合う第三傘歯車７０が固定的に設置され、前記ウォーターポンプ２５の右側面には水管３０が連結され、前記水槽２９の底側壁には連通する水入り管３１が固定的に設置され、前記水入り管３１が車内に設置されたエンジン室６３に入り、前記エンジン室６３の中にはエンジン室空間６４が設置され、前記エンジン室空間６４が前記エンジン空気入り管２１と連通しており、前記エンジン室空間６４の底側壁には連通する前記エンジン室排気管５１が設置され、前記水入り管３１が曲がって前記エンジン室空間６４の中に設置され、こうして前記水入り管３１が前記エンジン室空間６４に接触する面積を広められ、前記水入り管３１の温度制御効果を強化でき、前記水槽２９の底側壁には水出管３４が固定的に設置され、前記水入り管３１が前記エンジン室空間６４の中で前記水出管３４と連通しており、前記水管３０が前記水槽３１の中で前記水出管３４と連通しており、前記水入り管３１には加熱ブロック５７が固定的に設置され、
前記ウォーターポンプ軸６９が回転する時、前記ウォーターポンプ２５を駆動して作動させ、前記ウォーターポンプ２５が前記水管３０を介して水を前記水出管３４から吸い上げることにより、前記水槽２９の中の水が前記水入り管３１と、前記水出管３４と、前記水管３０の中で流れ、こうして前記エンジン室空間６４内の温度を下げ、それと同時に、前記エンジン室空気入り管２１内の空気も前記排気ファン５２及び前記空気入りファン６７の働きにより、前記エンジン室空間６４及び前記エンジン室排気管５１の中で流れてエンジンに生じた熱量を持っていき、ここで車内の温度をさらに下げられる。
【００２１】
前記太陽熱装置１０１は前記本体２６の右側面に固定的に取り付けられたソーラーパネル３７を含み、前記ソーラーパネル３７の底面には削りブロック４１が五つ固定的に設置され、前記本体２６の中には移動空間４４が設置され、前記移動空間４４の後側壁には移動モーター４３が固定的に設置され、前記移動モーター４３には移動軸４０が連結され、前記移動軸４０には歯車４２が固定的に設置され、前記本体２６の頂側面には前記歯車４２と噛み合うラック３８がスライド可能に連結され、前記ラック３８の頂側面には移動ソーラーパネル３９が固定的に連結され、前記移動ソーラーパネル３９と前記本体２６との間には前記移動ソーラーパネル３９の落下を防止できるばね３５が連結され、
車両が日に晒される時、前記ソーラーパネル３７が電力を生み出し、自動車が止まった時、前記移動モーター４３を始動して前記移動軸４０と、前記歯車４２とが駆動されて回転し、そして前記ラック３８と、前記移動ソーラーパネル３９とが駆動されて右方に移動し、また前記ばね３５が引っ張られ、前記移動ソーラーパネル３９を張り出して自動車に陽ざしを遮り、こうして車内の温度を下げ、それと同時に、電力の発生量も増えることにより、本願発明は自動車の始動エネルギーの電力以外の独立の電力を有し、自動車が止まった時、車内の空気を流通させ、車内の温度を調節できる。
【００２２】
冬に、自動車を始動する前に、本願発明を始動し、それと同時に前記加熱ブロック５７に通電して前記水入り管３１の中にある水及び前記空気流通管５６内の空気を加熱し、そして前記水入り管３１が内部の熱水により前記エンジン室空間６４を加熱して自動車を暖め、さらに前記空気流通管５６内の熱空気が車内に入って車内の温度を上げ、ここで運転手は車内に入ると、暖かく感じられる。
【００２３】
前記加湿器３３の中に香料を添加し、湿気を増やすと同時に前記空気処理空間３２内の空気を処理でき、運転手が呼吸する時に、気楽に感じられる。
【００２４】
前記排気空間４６から排出された気体が前記太陽熱装置１０１の中に流れ込み、車内の空気を排出すると同時に前記移動ソーラーパネル３９にあるゴミなどを除去できる。
【００２５】
前記削りブロック４１はゴム製のものであり、前記移動ソーラーパネル３９が移動すると同時にゴミを清掃でき、また前記移動ソーラーパネル３９を損害しない。
【００２６】
前記水槽２９に蓄えられた水は、火災が発生する時に、火の元をすぐに消せる。
【００２７】
使用の時、回転モーター７２を始動することにより空気入り軸７５と、空気入りファン６７と、第一傘歯車７３と、第二傘歯車７４と、第三傘歯車７０と、ウォーターポンプ軸６９とが駆動されて回転し、空気はフィルター２４により空気入り空間２３の中に流れ込み、第二傘歯車７４が第一伝動軸６２と、第一タイミング車６０と、ベルト６１と、第二伝動軸５９と、第二タイミング車５８とを回転連動させ、第二伝動軸５９が第四傘歯車４７と、第五傘歯車８０と、排気軸５０と、排気ファン５２とを回転連動させ、空気は空気入り空間２３から空気流通管５６の中に入り、また冬に、空気流通管５６の隣の加熱ブロック５７に通電することにより空気を加熱し、そして空気は空気流通管５６を介して空気処理空間３２の中に入り、また加湿器３３の加湿作業または空気においを向上させる作業により車内空気入り管５４を介して車内に流れ込み、さらに車内排気管４９を介して排気体５３の濾過により排気空間４６の中に入って車内から排出され、さらにエンジン空気入り管２１を介してエンジン室空間６４の中に流れ込んでエンジンの温度を下げ、エンジンの温度を下げる空気はさらにエンジン室排気管５１を介して第二フィルター４８を通過して排気空間４６に入って車内から排出され、それと同時に、回転しているウォーターポンプ軸６９はウォーターポンプ２５を駆動して作動させて水管３０と、水出管３４と、水入り管３１と、水槽２９との中の水を流し、冬に、加熱ブロック５７により水入り管３１内の水を加熱し、また自動車が止まった時、移動モーター４３を始動することにより移動軸４０と、歯車４２とを駆動して回転させ、歯車４２がラック３８と、移動ソーラーパネル３９とを移動させ、こうして水槽２９により車両を陽ざしから保護して電力を生み出すことができる。
【００２８】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。
【図１】
2020196435.tif 000003
【図２】
2020196435.tif 000004
【図３】
2020196435.tif 000005
【図４】
2020196435.tif 000006
【図５】
2020196435.tif 000007
【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
太陽熱技術に基づく自動車内空気の循環装置であり、サンルーフに固定的に取り付けられた支持壁を含み、前記支持壁には空気を流通させるためのフィルターが設置され、前記支持壁には本体が固定的に設置され、前記本体と前記サンルーフの中には装置空間が設置され、前記装置空間と前記本体との間には空気流通装置が設置され、前記空気流通装置は前記装置空間の左側壁に設置された空気入り空間を含み、前記空気入り空間の右側壁には動力空間が設置され、前記空気入り空間の底側壁には空気流通管が設置され、前記空気流通管の底側面には前記空気流通管と連通するエンジン空気入り管が設置され、前記空気流通管の片側には空気処理空間が前記空気流通管と連通するように設置され、前記空気処理空間の底壁に加湿器を置くことができ、前記空気処理空間の上下側壁には回転軸が回転可能に連結され、前記回転軸には加湿空間スイッチブロックが固定的に設置され、前記加湿空間スイッチブロックは空気に押されて前記回転軸を中心にして回転して前記空気処理空間を開けるまたは密封することができ、前記空気処理空間の底側壁には前記空気処理空間と連通する車内空気入り管が設置され、前記車内空気入り管が車内空間と連通することにより、車内に処理された空気を提供し、前記本体の底側面には排気体が固定的に設置され、前記排気体の中には排気空間が設置され、前記排気空間の底側壁には第二フィルターが固定的に設置され、前記排気空間の底側壁には排気軸が回転可能に連結され、前記排気軸が上方へ伸びて前記第二フィルターを貫通し、さらに前記第二フィルターと回転可能に連結され、前記排気軸の上側には排気ファンが固定的に設置され、前記排気軸の中側には第五傘歯車が固定的に設置され、前記排気体の底側面には前記排気空間と連通するエンジン室排気管及び車内排気管が設置され、前記車内排気管を介して車内の空気を排出でき、こうして車内の空気を循環させて車内の空気を新鮮に保ち、前記排気体の後側面には伝動箱が固定的に設置され、前記伝動箱の中には伝動装置が設置され、前記伝動箱の中には伝動空間が設置され、前記伝動空間の前後側壁には第二伝動軸が回転可能に連結され、前記第二伝動軸には第二タイミング車が固定的に設置され、前記伝動空間の前後側壁には第一伝動軸が回転可能に連結され、前記第一伝動軸には第一タイミング車が固定的に設置され、前記第一タイミング車と前記第二タイミング車とがベルトにより連結され、前記第二伝動軸が前に伸びて前記伝動空間の前側壁を貫通して前記排気空間の中に入り、さらに前記排気空間の後側壁と回転可能に連結され、前記排気空間において前記第二伝動軸には前記第五傘歯車と噛み合う第四傘歯車が固定的に設置され、前記動力空間の中には本発明の自動車内空気の循環装置に動力を提供する動力装置が設置され、前記本体の右側面には、自動車のエンジンが止まった時に本発明の自動車内空気の循環装置に電力を供給する太陽熱装置が設置され、前記本体の中には水槽が設置され、前記水槽の中にはエンジンの温度を調節できるエンジン温度調節装置が設置され、
前記動力装置は、回転モーターと、空気入り軸と、第一傘歯車と、第二傘歯車と、空気入りファンにより構成され、前記動力空間の右側壁に固定的に取り付けられた前記回転モーターを含み、前記回転モーターには前記空気入り軸が連結され、前記空気入り軸が左方に伸びて前記動力空間の左側壁を貫通して前記空気入り空間の中に入り、さらに前記空気入り空間の右側壁と回転可能に連結され、前記空気入り空間において前記空気入り軸には前記空気入りファンが固定的に設置され、前記空気入り軸には前記第一傘歯車が固定的に設置され、前記第一伝動軸が前に伸びて前記伝動空間の前側壁を貫通して前記動力空間の中に入り、さらに前記動力空間の後側壁と回転可能に連結され、前記動力空間において前記第一伝動軸には前記第一傘歯車と噛み合う前記第二傘歯車が固定的に設置され、
前記エンジン温度調節装置はウォーターポンプと、ウォーターポンプ軸と、第三傘歯車と、水管と、水入り管と、エンジン室と、エンジン室空間と、水出管と、加熱ブロックにより構成され、前記水槽の底側壁に固定的に取り付けられた前記ウォーターポンプを含み、前記ウォーターポンプには前記ウォーターポンプ軸が連結され、前記ウォーターポンプ軸が下方に伸びて前記水槽の底側壁を貫通して前記動力空間の中に入り、さらに前記水槽の底側壁及び前記動力空間の頂側壁と回転可能に連結され、前記動力空間において前記ウォーターポンプ軸には前記第一傘歯車と噛み合う前記第三傘歯車が固定的に設置され、前記ウォーターポンプの右側面には前記水管が連結され、前記水槽の底側壁には連通する前記水入り管が固定的に設置され、前記水入り管が車内に設置された前記エンジン室に入り、前記エンジン室の中には前記エンジン室空間が設置され、前記エンジン室空間が前記エンジン空気入り管と連通しており、前記エンジン室空間の底側壁には連通する前記エンジン室排気管が設置され、前記水入り管が曲がって前記エンジン室空間の中に設置され、こうして前記水入り管が前記エンジン室空間に接触する面積を広められ、前記水入り管の温度制御効果を強化でき、前記水槽の底側壁には前記水出管が固定的に設置され、前記水入り管が前記エンジン室空間の中で前記水出管と連通しており、前記水管が前記水槽の中で前記水出管と連通しており、前記水入り管には前記加熱ブロックが固定的に設置され、
前記太陽熱装置はソーラーパネルと、削りブロックと、移動空間と、移動モーターと、移動軸と、歯車と、ラックと、移動ソーラーパネルと、ばねにより構成され、前記本体の右側面に固定的に取り付けられた前記ソーラーパネルを含み、前記ソーラーパネルの底面には前記削りブロックが五つ固定的に設置され、前記本体の中には前記移動空間が設置され、前記移動空間の後側壁には前記移動モーターが固定的に設置され、前記移動モーターには前記移動軸が連結され、前記移動軸には前記歯車が固定的に設置され、前記本体の頂側面には前記歯車と噛み合う前記ラックがスライド可能に連結され、前記ラックの頂側面には前記移動ソーラーパネルが固定的に連結され、前記移動ソーラーパネルと前記本体との間には前記移動ソーラーパネルの落下を防止できる前記ばねが連結され、
冬に、自動車を始動する前に、本発明の自動車内空気の循環装置を始動し、それと同時に前記加熱ブロックに通電して前記水入り管の中にある水及び前記空気流通管内の空気を加熱し、そして前記水入り管が内部の熱水により前記エンジン室空間を加熱して自動車を暖め、さらに前記空気流通管内の熱空気が車内に入って車内の温度を上げ、ここで運転手は車内に入ると、暖かく感じられ、
前記加湿器の中に香料を添加し、湿気を増やすと同時に前記空気処理空間内の空気を処理でき、
前記排気空間から排出された気体が前記太陽熱装置の中に流れ込み、車内の空気を排出すると同時に前記移動ソーラーパネルにあるゴミなどを除去でき、
前記削りブロックはゴム製のものであり、前記移動ソーラーパネルが移動すると同時にゴミを清掃でき、また前記移動ソーラーパネルを損害しなく、
前記水槽には水が蓄えられ、
前記伝動装置は伝動空間と、第二タイミング車と、第一伝動軸と、第一タイミング車と、ベルトと、第四傘歯車により構成され、前記伝動箱の中には前記伝動空間が設置され、前記伝動空間の前後側壁には前記第二伝動軸が回転可能に連結され、前記第二伝動軸には前記第二タイミング車が固定的に設置され、前記伝動空間の前後側壁には前記第一伝動軸が回転可能に連結され、前記第一伝動軸には前記第一タイミング車が固定的に設置され、前記第一タイミング車と前記第二タイミング車とが前記ベルトにより連結され、前記第二伝動軸が前に伸びて前記伝動空間の前側壁を貫通して前記排気空間の中に入り、さらに前記排気空間の後側壁と回転可能に連結され、前記排気空間において前記第二伝動軸には前記第五傘歯車と噛み合う前記第四傘歯車が固定的に設置されていることを特徴とする太陽熱技術に基づく自動車内空気の循環装置。
【手続補正２】
【補正対象書類名】明細書
【補正対象項目名】全文
【補正方法】変更
【補正の内容】
【発明の詳細な説明】
【技術分野】
【０００１】
本願発明は車内空気循環分野に関わり、具体的には太陽熱技術に基づく自動車内空気の循環装置である。
【背景技術】
【０００２】
車の数量が増えるにつれて、大部分の車は駐車位置が足りないため、日に晒されるところに止まらなければならなく、駐車する時、車のエンジンが止まって車内のエアコンをつけられなく、また太陽の直射で、車内の空気が流通しなくて温度が快速に上がり、人に不快感を与える。
このような状況では、人は車のエンジンを始動することによりエアコンの作動に電力を提供し、車内空気が流れて車内の温度を下げ、しかし、この時、車内の温度が即時に下がられなく、人はエアコンをつけるとすぐに車に乗っては不快感が感じられ、従い、自動車のエンジンが止まった後に、車内の空気を循環させられる装置が必要となる。
【先行技術文献】
【特許文献】
【０００３】
【特許文献１】中国特許出願公開第１０４８４２７５０号明細書
【発明の概要】
【発明が解決しようとする課題】
【０００４】
本願発明は太陽熱技術に基づく自動車内空気の循環装置を提供し、上記の背景技術に記載された問題を解決する。
【課題を解決するための手段】
【０００５】
上記の目的を実現するため、本願発明は以下の技術策を提供する。太陽熱技術に基づく自動車内空気の循環装置であり、サンルーフに固定的に取り付けられた支持壁を含み、前記支持壁には空気を流通させるためのフィルターが設置され、前記支持壁には本体が固定的に設置され、前記本体と前記サンルーフの中には装置空間が設置され、前記装置空間と前記本体との間には空気通装置が設置され、前記空気流通装置は前記装置空間の左側壁に設置された空気入り空間を含み、前記空気入り空間の右側壁には動力空間が設置され、前記空気入り空間の底側壁には空気流通管が設置され、前記空気流通管の底側面には前記空気流通管と連通するエンジン空気入り管が設置され、前記空気流通管の片側には空気処理空間が前記空気流通管と連通するように設置され、前記空気処理空間の底壁に加湿器を置くことができ、前記空気処理空間の上下側壁には回転軸が回転可能に連結され、前記回転軸には加湿空間スイッチブロックが固定的に設置され、前記加湿空間スイッチブロックは空気に押されて前記回転軸を中心にして回転して前記空気処理空間を開けるまたは密封することができ、前記空気処理空間の底側壁には前記空気処理空間と連通する車内空気入り管が設置され、前記車内空気入り管が車内空間と連通することにより、車内に処理された空気を提供し、前記本体の底側面には排気体が固定的に設置され、前記排気体の中には排気空間が設置され、前記排気空間の底側壁には第二フィルターが固定的に設置され、前記排気空間の底側壁には排気軸が回転可能に連結され、前記排気軸が上方へ伸びて前記第二フィルターを貫通し、さらに前記第二フィルターと回転可能に連結され、前記排気軸の上側には排気ファンが固定的に設置され、前記排気軸の中側には第五傘歯車が固定的に設置され、前記排気体の底側面には前記排気空間と連通するエンジン室排気管及び車内排気管が設置され、前記車内排気管を介して車内の空気を排出でき、こうして車内の空気を循環させて車内の空気を新鮮に保ち、
前記排気体の後側面には伝動箱が固定的に設置され、前記伝動箱の中には伝動装置が設置され、前記動力空間の中には本発明の自動車内空気の循環装置に動力を提供する動力装置が設置され、前記本体の右側面には、自動車のエンジンが止まった時に本発明の自動車内空気の循環装置に電力を供給する太陽熱装置が設置され、前記本体の中には水槽が設置され、前記水槽の中にはエンジンの温度を調節できるエンジン温度調節装置が設置されている。
【０００６】
前記動力装置は、回転モーターと、空気入り軸と、第一傘歯車と、第二傘歯車と、空気入りファンにより構成され、前記動力空間の右側壁に固定的に取り付けられた前記回転モーターを含み、前記回転モーターには前記空気入り軸が連結され、前記空気入り軸が左方に伸びて前記動力空間の左側壁を貫通して前記空気入り空間の中に入り、さらに前記空気入り空間の右側壁と回転可能に連結され、前記空気入り空間において前記空気入り軸には前記空気入りファンが固定的に設置され、前記空気入り軸には前記第一傘歯車が固定的に設置され、前記第一伝動軸が前に伸びて前記伝動空間の前側壁を貫通して前記動力空間の中に入り、さらに前記動力空間の後側壁と回転可能に連結され、前記動力空間において前記第一伝動軸には前記第一傘歯車と噛み合う前記第二傘歯車が固定的に設置されている。
【０００７】
前記エンジン温度調節装置はウォーターポンプと、ウォーターポンプ軸と、第三傘歯車と、水管と、水入り管と、エンジン室と、エンジン室空間と、水出管と、加熱ブロックにより構成され、前記水槽の底側壁に固定的に取り付けられた前記ウォーターポンプを含み、前記ウォーターポンプには前記ウォーターポンプ軸が連結され、前記ウォーターポンプ軸が下方に伸びて前記水槽の底側壁を貫通して前記動力空間の中に入り、さらに前記水槽の底側壁及び前記動力空間の頂側壁と回転可能に連結され、前記動力空間において前記ウォーターポンプ軸には前記第一傘歯車と噛み合う前記第三傘歯車が固定的に設置され、前記ウォーターポンプの右側面には前記水管が連結され、前記水槽の底側壁には連通する前記水入り管が固定的に設置され、前記水入り管が車内に設置された前記エンジン室に入り、前記エンジン室の中には前記エンジン室空間が設置され、前記エンジン室空間が前記エンジン空気入り管と連通しており、前記エンジン室空間の底側壁には連通する前記エンジン室排気管が設置され、前記水入り管が曲がって前記エンジン室空間の中に設置され、こうして前記水入り管が前記エンジン室空間に接触する面積を広められ、前記水入り管の温度制御効果を強化でき、前記水槽の底側壁には前記水出管が固定的に設置され、前記水入り管が前記エンジン室空間の中で前記水出管と連通しており、前記水管が前記水槽の中で前記水出管と連通しており、前記水入り管には前記加熱ブロックが固定的に設置されている。
【０００８】
前記太陽熱装置はソーラーパネルと、削りブロックと、移動空間と、移動モーターと、移動軸と、歯車と、ラックと、移動ソーラーパネルと、ばねにより構成され、前記本体の右側面に固定的に取り付けられた前記ソーラーパネルを含み、前記ソーラーパネルの底面には前記削りブロックが五つ固定的に設置され、前記本体の中には前記移動空間が設置され、前記移動空間の後側壁には前記移動モーターが固定的に設置され、前記移動モーターには前記移動軸が連結され、前記移動軸には前記歯車が固定的に設置され、前記本体の頂側面には前記歯車と噛み合う前記ラックがスライド可能に連結され、前記ラックの頂側面には前記移動ソーラーパネルが固定的に連結され、前記移動ソーラーパネルと前記本体との間には前記移動ソーラーパネルの落下を防止できる前記ばねが連結されている。
【０００９】
冬に、自動車を始動する前に、本発明の自動車内空気の循環装置を始動し、それと同時に前記加熱ブロックに通電して前記水入り管の中にある水及び前記空気流通管内の空気を加熱し、そして前記水入り管が内部の熱水により前記エンジン室空間を加熱して自動車を暖め、さらに前記空気流通管内の熱空気が車内に入って車内の温度を上げ、ここで運転手は車内に入ると、暖かく感じられる。
【００１０】
前記加湿器の中に香料を添加し、湿気を増やすと同時に前記空気処理空間内の空気を処理できる。
【００１１】
前記排気空間から排出された気体が前記太陽熱装置の中に流れ込み、車内の空気を排出すると同時に前記移動ソーラーパネルにあるゴミなどを除去できる。
【００１２】
前記削りブロックはゴム製のものであり、前記移動ソーラーパネルが移動すると同時にゴミを清掃でき、また前記移動ソーラーパネルを損害しない。
【００１３】
前記水槽には水が蓄えられる。
【００１４】
前記伝動装置は伝動空間と、第二タイミング車と、第一伝動軸と、第一タイミング車と、ベルトと、第四傘歯車により構成され、前記伝動箱の中には前記伝動空間が設置され、前記伝動空間の前後側壁には前記第二伝動軸が回転可能に連結され、前記第二伝動軸には前記第二タイミング車が固定的に設置され、前記伝動空間の前後側壁には前記第一伝動軸が回転可能に連結され、前記第一伝動軸には前記第一タイミング車が固定的に設置され、前記第一タイミング車と前記第二タイミング車とが前記ベルトにより連結され、前記第二伝動軸が前に伸びて前記伝動空間の前側壁を貫通して前記排気空間の中に入り、さらに前記排気空間の後側壁と回転可能に連結され、前記排気空間において前記第二伝動軸には前記第五傘歯車と噛み合う前記第四傘歯車が固定的に設置されている。
【発明の効果】
【００１５】
本願発明の効果は：本願発明は車両が止まった時、自動車本来の電力に頼らずに独立に作動でき、夏の時、日に晒された自動車内の空気を流通させ、こうして車内の空気を循環させ、車内の温度を下げ、夏の時に車内の人が自動車を始動できないこと及び温度が高くて危険がある状況を回避し、それと同時に、水が本願発明装置内の流動でエンジン室空間内の熱量が引き続き吸収され、エンジン室空間内の温度を下げる。本願発明は、冬に、自動車を始動しないことを前提にして本願発明内の水を加熱し、自動車の部位を予め暖め、冬の低温でエンジンが壊れる可能性を下げ、それと同時に、空気流通管内の空気を加熱し、運転手の快適感を向上させる。本願発明は車両に日光の直射を避けて温度を下げ、それと同時に、ソーラーパネルにより陽ざしを利用して電力を生み出す。
【図面の簡単な説明】
【００１６】
下記に図１〜５をあわせて本発明について詳しく説明し、便利に説明するために、下記の方向を以下のように規定する：図１は本発明装置の正面図であり、本願に記載の各方向が、図１と同じ向きに装置を見た際の方向である。
【００１７】
【図１】図１は本願発明の全体断面の正面構成概略図
【図２】図２は本願発明図１の後側の正面図
【図３】図３は本願発明図１の部分の上面図
【図４】図４は本願発明図１の分流ブロックの上面図
【図５】図５は本願発明の動力装置の拡大概略図
【発明を実施するための形態】
【００１８】
図面１〜５を参照し、本願発明は太陽熱技術に基づく自動車内空気の循環装置であり、サンルーフ２０に固定的に取り付けられた支持壁２２を含み、前記支持壁２２には空気を流通させるためのフィルター２４が設置され、前記支持壁２２には本体２６が固定的に設置され、前記本体２６と前記サンルーフ２０の中には装置空間５５が設置され、前記装置空間５５と前記本体２６との間には空気流通装置９９が設置され、前記空気流通装置９９は前記装置空間５５の左側壁に設置された空気入り空間２３を含み、前記空気入り空間２３の右側壁には動力空間７１が設置され、前記空気入り空間２３の底側壁には空気流通管５６が設置され、前記空気流通管５６の底側面には前記空気流通管５６と連通するエンジン空気入り管２１が設置され、前記空気流通管５６の片側には空気処理空間３２が前記空気流通管５６と連通するように設置され、前記空気処理空間３２の底壁に加湿器３３を置くことができ、前記空気処理空間３２の上下側壁には回転軸６６が回転可能に連結され、前記回転軸６６には加湿空間スイッチブロック６５が固定的に設置され、前記加湿空間スイッチブロック６５は空気に押されて前記回転軸６６を中心にして回転して前記空気処理空間３２を開けるまたは密封することができ、前記空気処理空間３２の底側壁には前記空気処理空間３２と連通する車内空気入り管５４が設置され、前記車内空気入り管５４が車内空間と連通することにより、車内に処理された空気を提供し、前記本体２６の底側面には排気体５３が固定的に設置され、前記排気体５３の中には排気空間４６が設置され、前記排気空間４６の底側壁には第二フィルター４８が固定的に設置され、前記排気空間４６の底側壁には排気軸５０が回転可能に連結され、前記排気軸５０が上方へ伸びて前記第二フィルター４８を貫通し、さらに前記第二フィルター４８と回転可能に連結され、前記排気軸５０の上側には排気ファン５２が固定的に設置され、前記排気軸５０の中側には第五傘歯車８０が固定的に設置され、前記排気体５３の底側面には前記排気空間４６と連通するエンジン室排気管５１及び車内排気管４９が設置され、前記車内排気管４９を介して車内の空気を排出でき、こうして車内の空気を循環させて車内の空気を新鮮に保ち、前記排気体５３の後側面には伝動箱７６が固定的に設置され、前記伝動箱７６の中には伝動装置１２０が設置され、前記伝動箱７６の中には伝動空間７８が設置され、前記伝動空間７８の前後側壁には第二伝動軸５９が回転可能に連結され、前記第二伝動軸５９には第二タイミング車５８が固定的に設置され、前記伝動空間７８の前後側壁には第一伝動軸６２が回転可能に連結され、前記第一伝動軸６２には第一タイミング車６０が固定的に設置され、前記第一タイミング車６０と前記第二タイミング車５８とがベルト６１により連結され、前記第二伝動軸５９が前に伸びて前記伝動空間７８の前側壁を貫通して前記排気空間４６の中に入り、さらに前記排気空間４６の後側壁と回転可能に連結され、前記排気空間４６において前記第二伝動軸５９には前記第五傘歯車８０と噛み合う第四傘歯車４７が固定的に設置され、前記動力空間７１の中には本発明の自動車内空気の循環装置に動力を提供する動力装置１００が設置され、前記本体２６の右側面には、自動車のエンジンが止まった時に本発明の自動車内空気の循環装置に電力を供給する太陽熱装置１０１が設置され、前記本体２６の中には水槽２９が設置され、前記水槽２９の中にはエンジンの温度を調節できるエンジン温度調節装置１０２が設置されている。
【００１９】
前記動力装置１００は前記動力空間７１の右側壁に固定的に取り付けられた回転モーター７２を含み、前記回転モーター７２には空気入り軸７５が連結され、前記空気入り軸７５が左方に伸びて前記動力空間７１の左側壁を貫通して前記空気入り空間２３の中に入り、さらに前記空気入り空間２３の右側壁と回転可能に連結され、前記空気入り空間２３において前記空気入り軸７５には空気入りファン６７が固定的に設置され、前記空気入り軸７５には第一傘歯車７３が固定的に設置され、前記第一伝動軸６２が前に伸びて前記伝動空間７８の前側壁を貫通して前記動力空間７１の中に入り、さらに前記動力空間７１の後側壁と回転可能に連結され、前記動力空間７１において前記第一伝動軸６２には前記第一傘歯車７３と噛み合う第二傘歯車７４が固定的に設置され、前記回転モーター７２を始動し、前記空気入り軸７５と、前記第一傘歯車７３と、前記空気入りファン６７と、前記第二傘歯車７４とが駆動されて回転することにより、自動車のエンジンが止まった後、本発明の自動車内空気の循環装置の各構成に動力を供給する。
【００２０】
前記エンジン温度調節装置１０２は前記水槽２９の底側壁に固定的に取り付けられたウォーターポンプ２５を含み、前記ウォーターポンプ２５にはウォーターポンプ軸６９が連結され、前記ウォーターポンプ軸６９が下方に伸びて前記水槽２９の底側壁を貫通して前記動力空間７１の中に入り、さらに前記水槽２９の底側壁及び前記動力空間７１の頂側壁と回転可能に連結され、前記動力空間７１において前記ウォーターポンプ軸６９には前記第一傘歯車７３と噛み合う第三傘歯車７０が固定的に設置され、前記ウォーターポンプ２５の右側面には水管３０が連結され、前記水槽２９の底側壁には連通する水入り管３１が固定的に設置され、前記水入り管３１が車内に設置されたエンジン室６３に入り、前記エンジン室６３の中にはエンジン室空間６４が設置され、前記エンジン室空間６４が前記エンジン空気入り管２１と連通しており、前記エンジン室空間６４の底側壁には連通する前記エンジン室排気管５１が設置され、前記水入り管３１が曲がって前記エンジン室空間６４の中に設置され、こうして前記水入り管３１が前記エンジン室空間６４に接触する面積を広められ、前記水入り管３１の温度制御効果を強化でき、前記水槽２９の底側壁には水出管３４が固定的に設置され、前記水入り管３１が前記エンジン室空間６４の中で前記水出管３４と連通しており、前記水管３０が前記水槽３１の中で前記水出管３４と連通しており、前記水入り管３１には加熱ブロック５７が固定的に設置され、前記ウォーターポンプ軸６９が回転する時、前記ウォーターポンプ２５を駆動して作動させ、前記ウォーターポンプ２５が前記水管３０を介して水を前記水出管３４から吸い上げることにより、前記水槽２９の中の水が前記水入り管３１と、前記水出管３４と、前記水管３０の中で流れ、こうして前記エンジン室空間６４内の温度を下げ、それと同時に、前記エンジン室空気入り管２１内の空気も前記排気ファン５２及び前記空気入りファン６７の働きにより、前記エンジン室空間６４及び前記エンジン室排気管５１の中で流れてエンジンに生じた熱量を持っていき、ここで車内の温度をさらに下げられる。
【００２１】
前記太陽熱装置１０１は前記本体２６の右側面に固定的に取り付けられたソーラーパネル３７を含み、前記ソーラーパネル３７の底面には削りブロック４１が五つ固定的に設置され、前記本体２６の中には移動空間４４が設置され、前記移動空間４４の後側壁には移動モーター４３が固定的に設置され、前記移動モーター４３には移動軸４０が連結され、前記移動軸４０には歯車４２が固定的に設置され、前記本体２６の頂側面には前記歯車４２と噛み合うラック３８がスライド可能に連結され、前記ラック３８の頂側面には移動ソーラーパネル３９が固定的に連結され、前記移動ソーラーパネル３９と前記本体２６との間には前記移動ソーラーパネル３９の落下を防止できるばね３５が連結され、車両が日に晒される時、前記ソーラーパネル３７が電力を生み出し、自動車が止まった時、前記移動モーター４３を始動して前記移動軸４０と、前記歯車４２とが駆動されて回転し、そして前記ラック３８と、前記移動ソーラーパネル３９とが駆動されて右方に移動し、また前記ばね３５が引っ張られ、前記移動ソーラーパネル３９を張り出して自動車に陽ざしを遮り、こうして車内の温度を下げ、それと同時に、電力の発生量も増えることにより、本発明の自動車内空気の循環装置は自動車の始動エネルギーの電力以外の独立の電力を有し、自動車が止まった時、車内の空気を流通させ、車内の温度を調節できる。
【００２２】
冬に、自動車を始動する前に、本発明の自動車内空気の循環装置を始動し、それと同時に前記加熱ブロック５７に通電して前記水入り管３１の中にある水及び前記空気流通管５６内の空気を加熱し、そして前記水入り管３１が内部の熱水により前記エンジン室空間６４を加熱して自動車を暖め、さらに前記空気流通管５６内の熱空気が車内に入って車内の温度を上げ、ここで運転手は車内に入ると、暖かく感じられる。
【００２３】
前記加湿器３３の中に香料を添加し、湿気を増やすと同時に前記空気処理空間３２内の空気を処理できる。
【００２４】
前記排気空間４６から排出された気体が前記太陽熱装置１０１の中に流れ込み、車内の空気を排出すると同時に前記移動ソーラーパネル３９にあるゴミなどを除去できる。
【００２５】
前記削りブロック４１はゴム製のものであり、前記移動ソーラーパネル３９が移動すると同時にゴミを清掃でき、また前記移動ソーラーパネル３９を損害しない。
【００２６】
前記水槽２９には水が蓄えられる。
【００２７】
使用の時、回転モーター７２を始動することにより空気入り軸７５と、空気入りファン６７と、第一傘歯車７３と、第二傘歯車７４と、第三傘歯車７０と、ウォーターポンプ軸６９とが駆動されて回転し、空気はフィルター２４により空気入り空間２３の中に流れ込み、第二傘歯車７４が第一伝動軸６２と、第一タイミング車６０と、ベルト６１と、第二伝動軸５９と、第二タイミング車５８とを回転連動させ、第二伝動軸５９が第四傘歯車４７と、第五傘歯車８０と、排気軸５０と、排気ファン５２とを回転連動させ、空気は空気入り空間２３から空気流通管５６の中に入り、また冬に、空気流通管５６の隣の加熱ブロック５７に通電することにより空気を加熱し、そして空気は空気流通管５６を介して空気処理空間３２の中に入り、また加湿器３３の加湿作業または空気においを向上させる作業により車内空気入り管５４を介して車内に流れ込み、さらに車内排気管４９を介して排気体５３の濾過により排気空間４６の中に入って車内から排出され、さらにエンジン空気入り管２１を介してエンジン室空間６４の中に流れ込んでエンジンの温度を下げ、エンジンの温度を下げる空気はさらにエンジン室排気管５１を介して第二フィルター４８を通過して排気空間４６に入って車内から排出され、それと同時に、回転しているウォーターポンプ軸６９はウォーターポンプ２５を駆動して作動させて水管３０と、水出管３４と、水入り管３１と、水槽２９との中の水を流し、冬に、加熱ブロック５７により水入り管３１内の水を加熱し、また自動車が止まった時、移動モーター４３を始動することにより移動軸４０と、歯車４２とを駆動して回転させ、歯車４２がラック３８と、移動ソーラーパネル３９とを移動させ、こうして水槽２９により車両を陽ざしから保護して電力を生み出すことができる。
【００２８】
上記の実施例は本願発明の技術的構想と特徴を説明するだけであり、その目的は当業者に本願発明内容を了解させてさらに実施させるのであり、本願発明の保護範囲を制限することはできない。本願発明の精神の実質に基づいて行われたすべての等価的な変化又は修飾は、本願発明の保護範囲の中に含むべきである。